(57)【要約】【課題】  駆動点と重心とを一致させることができるのみなず、感度も高く維持することが可能な光ピックアップ装置を提供する。【解決手段】  光記録媒体Ｄに対して移動可能に設けられたピックアップベース４２と、これに設けた支持部４５と、ピックアップベースより起立させて設けた磁石部材６４Ａ，６４Ｂと、光スポットを照射するための対物レンズを有するレンズホルダ４６と、レンズホルダを揺動可能に支持する支持ワイヤ４４と、レンズホルダに設けられたフォーカスコイル部５８と、レンズホルダに設けられたトラッキングコイル部６０と、を有する光ピックアップ装置において、フォーカスコイル部は、矩形筒体状の大コイル５８Ａと小コイル５８Ｂとよりなり、大コイル内に小コイルが収容され、大小コイルの４辺の内の対物レンズに最も近い一辺において大コイルの一辺の内側と小コイルの一辺の外側との間に、トラッキングコイル部を挟み込むようにして設けると共に、レンズホルダ側の重心Ｗ０と駆動点Ｄ０とが同一位置になるように設定する。【選択図】  図１
2005346750.tif 000002
【特許請求の範囲】
【請求項１】
光記録媒体の半径方向へ移動可能に設けられたピックアップベースと、
前記ピックアップベースに設けられた支持部と、
前記ピックアップベースより起立させて設けた磁石部材と、
前記光記録媒体の表面に光スポットを照射するための対物レンズをその先端部に有すると共に、前記磁石部材を通す開口部を有するレンズホルダと、
前記レンズホルダと前記支持部とを連結して前記レンズホルダを揺動可能に支持すると共に、駆動信号を供給する支持ワイヤと、
前記レンズホルダに設けられて前記磁石部材からの磁束との相互作用によりフォーカス方向への移動を制御するフォーカスコイル部と、
前記レンズホルダに設けられて前記磁石部材からの磁束との相互作用よりトラッキング方向への移動を制御するトラッキングコイル部と、
を有する光ピックアップ装置において、
前記フォーカスコイル部は、矩形筒体状の大コイルと小コイルとよりなると共に、前記大コイル内に前記小コイルが収容され、前記大小コイルの４辺の内の前記対物レンズに最も近い一辺において前記大コイルの一辺の内側と前記小コイルの一辺の外側との間に、前記トラッキングコイル部を挟み込むようにして設け、前記レンズホルダ側の重心と前記トラッキングコイル部及び前記フォーカスコイル部の駆動力の中心である駆動点とが同一位置になるように設定したことを特徴とする光ピックアップ装置。
【発明の詳細な説明】
【技術分野】
【０００１】
本発明は、光ディスク等の光記録媒体に対して情報を読み書きするための光スポットを照射するための光ピックアップ装置に関する。
【背景技術】
【０００２】
一般に、例えば光ディスク等の光記録媒体用の光ピックアップ装置においては、読み取り或いは書き込み用ビームを、対物レンズを介して焦点が合った状態で光ディスク面に照射させ且つこのビームを光ディスクのトラック方向に追従させる必要から、対物レンズはその光軸方向であるフォーカス方向と、このフォーカス方向と直交するトラッキング方向とに可動状態で支持されている（例えば特許文献１、２、３等）。
このように、フォーカス方向とトラッキング方向の２軸アクチュエータを駆動する場合、フォーカス方向のアクチュエータであるフォーカスコイルとトラッキング方向のアクチュエータであるトラッキングコイルに生じる各駆動力の中心点である駆動点は、対物レンズを保持するレンズホルダの重心と一致することが望ましい。この理由は、重心からずれた位置に駆動力が作用すると、レンズホルダにピッチング、ローリング、ヨーイングと称される不要振動が発生し、光ピックアップ装置の動作が不安定になってしまうからである。
【０００３】
そこで、例えば特許文献１においては、寸法の大きなフォーカスコイルの一辺に、これを挟むようにして２対計４個の小さなトラッキングコイルを設けるようにしている。また特許文献２においては、寸法の大きなフォーカスコイルの一辺に、左右に一対のトラッキングコイルを設けてここに磁束を作用させ、そして、磁気回路の外部に漏洩磁束を発生させてフォーカスコイルの他の部分に作用させ、フォーカスコイルに対する駆動力の仮想的な作用点がレンズホルダの重心と略一致させるようにしている。
また特許文献３においては、図４に示すように、レンズホルダ２の先端部に対物レンズ４を設け、このレンズホルダ４に断面四角形の筒体状の第１のフォーカスコイル６を設けると共に、この第１のフォーカスコイル６内に第２のフォーカスコイル８を略内接するように形成し、更に対物レンズ４より遠く離れた上記両フォーカスコイル６、８の一辺間に一対のトラッキングコイル１０、１２を挟み込むようにして設けている。また対物レンズ４とは反対側の位置に必要に応じてバランス重り１４が設けられている。
【０００４】
また他の従来の光ピックアップ装置として、図５乃至図７に示すようなものも知られている。図５は従来の光ピックアップ装置の他の一例を示す平面図、図６は図５に示す光ピックアップ装置の断面図、図７は図５に示す光ピックアップ装置のフォーカスコイル部及びトラッキングコイル部を示す部分拡大図である。
図示するように、ピックアップベース２０側には、４本の支持ワイヤ２２を介して揺動可能にレンズホルダ２４が支持されており、この先端には対物レンズ２５が設けられる。このレンズホルダ２４の中心側には、２つの同じ大きさのフォーカスコイル２６が並設され、両フォーカスコイル２６間に一対のトラッキングコイル２８が設けられる。そして、上記両フォーカスコイル２６内に、上記ピックアップベース２０より起立させて磁石３０が設けられている。また、上記レンズホルダ２４の基端部にはカウンタバランス３２が設けられている。このように、両フォーカスコイル２６及びトラッキングコイル２８を互いに左右対称に設けることにより、このレンズホルダ２４の重心Ｗ１と両コイル２６、２８の駆動力であるフォーカス駆動力Ｆｆとトラッキング駆動力Ｆｔの作用する駆動点Ｄ１とが一致するようになっている。
【０００５】
【特許文献１】特開２００３−３０８６９号公報
【特許文献２】特開２００１−１５５３５５号公報
【特許文献３】特開平６−１２４４６７号公報
【発明の開示】
【発明が解決しようとする課題】
【０００６】
ところで、上記特許文献１に示された光ピックアップ装置にあっては、全体として５個のコイルが必要であり、このために構造が複雑化してコストアップの要因となってしまう。また、特許文献２に示された光ピックアップ装置にあっては、磁石からの磁力のばらつきにより、磁束と漏洩磁束にばらつきが生じ、このために駆動点の位置が変動してしまう、という問題点があった。
また図４に示すような特許文献３に示す光ピックアップ装置にあっては、トラッキングコイル１０、１２の中心部にレンズホルダ２の重心Ｗ２を位置させるためにバランス重り１４の重量を大きく設定しなければならず、このために、レンズホルダ２の全体の重量が重くなって感度が低下する、といった問題があった。
【０００７】
また図５〜図７に示す従来の光ピックアップ装置にあっては、この場合にも駆動点Ｄ１と重心Ｗ１とを一致させるために、対物レンズ２６の反対側に設けるカウンタバランス３２を大きくしなければならず、この結果、レンズホルダの全体の重量が増加して感度が低下する、という問題があった。
本発明は、以上のような問題点に着目し、これを有効に解決すべく創案されたものである。本発明の目的は、レンズホルダ全体の重量を低減でき、しかも、カウンタバランスを不要か、或いは用いてもその重量を非常に小さくすることができ、この結果、駆動点と重心とを一致させることができるのみなず、感度も高く維持することが可能な光ピックアップ装置を提供することにある。
【課題を解決するための手段】
【０００８】
請求項１に係る発明は、光記録媒体の半径方向へ移動可能に設けられたピックアップベースと、前記ピックアップベースに設けられた支持部と、前記ピックアップベースより起立させて設けた磁石部材と、前記光記録媒体の表面に光スポットを照射するための対物レンズをその先端部に有すると共に、前記磁石部材を通す開口部を有するレンズホルダと、前記レンズホルダと前記支持部とを連結して前記レンズホルダを揺動可能に支持すると共に、駆動信号を供給する支持ワイヤと、前記レンズホルダに設けられて前記磁石部材からの磁束との相互作用によりフォーカス方向への移動を制御するフォーカスコイル部と、前記レンズホルダに設けられて前記磁石部材からの磁束との相互作用よりトラッキング方向への移動を制御するトラッキングコイル部と、を有する光ピックアップ装置において、前記フォーカスコイル部は、矩形筒体状の大コイルと小コイルとよりなると共に、前記大コイル内に前記小コイルが収容され、前記大小コイルの４辺の内の前記対物レンズに最も近い一辺において前記大コイルの一辺の内側と前記小コイルの一辺の外側との間に、前記トラッキングコイル部を挟み込むようにして設け、前記レンズホルダ側の重心と前記トラッキングコイル部及び前記フォーカスコイル部の駆動力の中心である駆動点とが略同一位置になるように設定したことを特徴とする光ピックアップ装置である。
【発明の効果】
【０００９】
本発明の光ピックアップ装置によれば、レンズホルダ全体の重量を低減でき、しかも、カウンタバランスを不要か、或いは用いてもその重量を非常に小さくすることができ、この結果、駆動点と重心とを一致させることができるのみなず、感度も高く維持することができる。
【発明を実施するための最良の形態】
【００１０】
以下に、本発明に係る光ピックアップ装置の一実施例を添付図面に基づいて詳述する。図１は本発明に係る光ピックアップ装置を示す平面図、図２は図１に示す装置の断面図、図３は図１に示す装置のフォーカスコイル部とトラッキングコイル部を示す図である。
図示するように、この光ピックアップ装置４０は、例えば磁性材料よりなるピックアップベース４２を有している。このピックアップペース４２は、図示しない駆動手段によって、光ディスク等の光記録媒体Ｄの半径方向に沿って往復移動可能になっている。このピックアップベース４２の基端部には、支持部４５が起立させて設けられている。そして、この支持部４５からは、上下２本で一対となる２対４本の支持ワイヤ４４が水平方向へ延びており、この支持ワイヤ４４の先端に、レンズホルダ４６の左右の側壁を固定して、このレンズホルダ４６を揺動可能に支持している。
【００１１】
この場合、支持部４５と支持ワイヤ４４の基部との接合部には、シリコンゴムのような弾性部材４８が介在されており、上記支持ワイヤ４４の不要な振動を吸収できるようになっている。また上記支持部４５には、ネジ５０によりプリント基板５２が固定されており、このプリント基板５２に上記各支持ワイヤ４４の基端が電気的に接続されて、フォーカス信号やトラッキング信号等の駆動信号を後述するフォーカスコイル部やトラッキングコイル部へ供給できるようになっている。
【００１２】
一方、上記レンズホルダ４６の先端部には、光記録媒体の表面にレーザ光の光スポットを形成するための対物レンズ５４が設けられており、また、このレンズホルダ４６の中央側には、後述する磁石部材等を通すための大きな開口部５６が形成されている。そして、この開口部５６にフォーカスコイル部５８とトラッキングコイル部６０とが設けられる。具体的には、このフォーカスコイル部５８は、大小２つの矩形状、或いは四角形の筒体状に成形されたフォーカスコイル５８Ａ、５８Ｂよりなり、大フォーカスコイル５８Ａの内側に小フォーカスコイル５８Ｂは略接するようにして設けられている。このフォーカスコイル部５８の全体は、図１中において上記開口部５６の右側の１／３程度の領域を占めている。そして、上記両フォーカスコイル５８Ａ、５８Ｂの２つの長辺の内、上記対物レンズ５４に近い辺において、小フォーカスコイル５８Ｂの一辺の外側と大フォーカスコイル５８Ａの内側との間に、上記トラッキングコイル部６０が挟み込むようにして設けられている。
【００１３】
このトラッキングコイル部６０は、断面が略正方形に近い厚さの薄い四角形状の筒体状の一対のトラッキングコイル６０Ａ、６０Ｂを互いに横に並べて設けられている。そして、上記ピックアップベース４２からは、上記フォーカスコイル部５８内と、残りの開口部５６内に向けて例えば磁性材料よりなる支柱６２Ａ、６２Ｂがそれぞれ起立させて設けられており、この支柱６２Ａ、６２Ｂに、それぞれ磁石部材として永久磁石６４Ａ、６４Ｂが取り付け固定され、両永久磁石６４Ａ、６４Ｂ間に位置する各コイル辺に磁束を印加できるようになっている。
また、上記レンズホルダ４６の、上記対物レンズ５４とは反対側の部分には、重量調整がなされたカウンタバランス６８が必要に応じて設けられており、このレンズホルダ４６の全体の重量（対物レンズ５４や両コイル部５８、６０の重量等も含む）の重心Ｗ０と、両コイル部５８、６０によって生ずる駆動力の中心である駆動点Ｄ０とが略一致するように設定されている（図３も参照）。
【００１４】
以上のように構成したことにより、両永久磁石６４Ａ、６４Ｂ間に磁束が発生し、この状態で両フォーカスコイル５８Ａ、５８Ｂに駆動信号としてフォーカス信号を流すことにより、両フォーカスコイル５８Ａ、５８Ｂの中心点である駆動点Ｄ０にフォーカス駆動力Ｆｔ（図３（Ｂ）参照）が発生してフォーカス制御が行われる。また両トラッキングコイル６０Ａ、６０Ｂに駆動信号としてトラッキング信号を流すことにより、同じく上記駆動点Ｄ０にトラッキング駆動力Ｆｔが発生してトラッキング制御が行われる。ここで、上記駆動点Ｄ０は、上述のようにレンズホルダ４６の全体の重心Ｗ０と略一致しているので、ピッチング、ヨーイング、ローリング等の不要な振動が発生することなくフォーカス制御及びトラッキング制御を円滑に行うことができる。
【００１５】
また図４に示す従来装置の場合には、レンズホルダ２全体の重心Ｗ２をレンズホルダ２の対物レンズ４から遠く離れた反対側に位置させなければならないことから、バランス重り１４の重さがかなり大きくなり、この結果、レンズホルダ２全体の重さがかなり大きくなって感度低下を生ずる不都合があった。しかし、本発明の場合には、レンズホルダ４６全体の重心Ｗ０をレンズホルダ２の対物レンズ４の近く、すなわちレンズホルダ４６の略中央部に位置させるようにしたので、カウンタバランス６８をほとんど不要にできるか、或いは取り付ける場合でもその重量は非常に小さくて済むことになる。その結果、レンズホルダ４６全体の重量を小さくできるので、その分、感度を向上させることができる。
尚、上記実施例の全体構成は、単に一例を示したに過ぎず、これに限定されないのは勿論である。
【図面の簡単な説明】
【００１６】
【図１】本発明に係る光ピックアップ装置を示す平面図である。
【図２】図１に示す装置の断面図である。
【図３】図１に示す装置のフォーカスコイル部とトラッキングコイル部を示す図である。
【図４】従来の光ピックアップ装置を示す平面図である。
【図５】従来の光ピックアップ装置の他の一例を示す平面図である。
【図６】図５に示す光ピックアップ装置の断面図である。
【図７】図５に示す光ピックアップ装置のフォーカスコイル部及びトラッキングコイル部を示す部分拡大図である。
【符号の説明】
【００１７】
４０…光ピックアップ装置、４２…ピックアップベース、４４…支持ワイヤ、４５…支持部、４６…レンズホルダ、５４…対物レンズ、５８…フォーカスコイル部、５８Ａ，５８Ｂ…フォーカスコイル、６０…トラッキングコイル部、６０Ａ，６０Ｂ…トラッキングコイル、６４Ａ，６４Ｂ…永久磁石（磁石部材）、Ｄ…光記録媒体、Ｄ０…駆動点、Ｗ０…重心。
【図１】
2005346750.tif 000003
【図２】
2005346750.tif 000004
【図３】
2005346750.tif 000005
【図４】
2005346750.tif 000006
【図５】
2005346750.tif 000007
【図６】
2005346750.tif 000008
【図７】
2005346750.tif 000009